(57)【要約】【課題】表紙デザインを何度でも自由に変更することができる表紙体を提供する。【解決手段】見開き可能な左右の表紙部１１，１２を形成した表紙本体部１０を備える表紙体１であって、表紙本体部１０の外面側に表紙本体部１０の外面全体を覆う大きさを有するシート状の透明カバー２を設ける。透明カバー２は、表紙体１の上端部が開放されて大きく開くことができる上部差込口３を形成し、上部差込口３を通して透明カバー２と表紙本体部１０との間に表紙体１と略同じ大きさのオリジナル表紙４を配置可能とする表紙ポケット部３０を形成している。また、透明カバー２は、表紙本体部１０よりも左右幅が長い構成であり、透明カバー２の下端部では、左右部を表紙本体部１０と接合３４，３５するが中央部を表紙本体部１０よりも長い長さ分を寄せて非接合３６とし余剰部分２１を設けている。【選択図】図１
0003197362.tif 000002
【実用新案登録請求の範囲】
【請求項１】
見開き可能な左右の表紙部を形成した表紙本体部を備える表紙体であって、
上記表紙本体部の外面側に表紙本体部の外面全体を覆う大きさを有するシート状の透明カバーを設け、
上記透明カバーは、表紙体の上端部が開放されて大きく開くことができる上部差込口を形成し、上部差込口を通して透明カバーと表紙本体部との間に上記表紙本体部の左右表紙部にわたって配置される大きさのオリジナル表紙を収納可能とする表紙ポケット部を形成させている表紙体。
【請求項２】
請求項１に記載の表紙体において、
上記透明カバーは、上下幅が表紙本体部の上下幅と同じ長さであり、左右幅が表紙本体部の左右幅よりも長い構成とし、
上記表紙ポケット部は、透明カバーの左右端部を表紙本体部の左右端部と一致させて表紙本体部の左右端部と接合し、透明カバーの上端部を表紙本体部の上端部と一致させて表紙本体部の上端部と非接合とし、透明カバーの下端部を表紙本体部の下端部と一致させて透明カバーの下端左右部を表紙本体部の下端左右部と接合するが透明カバーの下端中央部を表紙本体部の左右幅よりも長い長さ分を寄せて表紙本体部の下端中央部とは非接合とすることにより形成されている表紙体。
【請求項３】
請求項２に記載の表紙体において、
上記表紙本体部は、左右の表紙部を折り曲げ可能に左右に形成する背表紙部をさらに有し、
上記背表紙部の内面には写真や用紙等の紙葉類を収納する袋体が設けられ、
上記透明カバーの下端中央部における非接合の部分は、背表紙部の左右幅よりも長く設けられている表紙体。
【請求項４】
請求項１又は２に記載の表紙体において、
上記表紙本体部の内面中央部分には用紙を収納する袋体が設けられ、
上記オリジナル表紙は、Ａ列、Ｂ列等の紙の規格寸法（ＪＩＳＰ０１３８）に合致する一定サイズであり、
上記袋体に収納する用紙は、上記一定サイズのオリジナル表紙のハーフサイズであり、
上記表紙本体部は、左右表紙部を閉じた状態のときに上記袋体の先端部が外に露出しない左右幅寸法に設定され、且つ上記表紙ポケット部が当該表紙本体部の中央位置に形成されて表紙体の見開き状態及び閉じた状態でも上記オリジナル表紙が弛みなく収納可能となるように上記透明カバーの左右端部と当該表紙本体部の左右端部とが（左右方向一定幅で）接合されている表紙体。
【請求項５】
請求項４に記載の表紙体において、
上記透明カバーは、左右の外側端部において上記透明カバーとの接合部分を含む左右方向一定幅に印刷部が施されている表紙体。
【請求項６】
請求項１〜５のいずれか１項に記載の表紙体において、
上記透明カバーの上端部における右隅部及び／又は左隅部が、これと対向する表紙本体部の上端部における左右隅部と接合されている表紙体。
【考案の詳細な説明】
【技術分野】
【０００１】
本考案は、例えば、アルバム、ファイル等における表紙体に関する。
【背景技術】
【０００２】
従来、例えばポケットアルバムは、見開き可能な左右の表紙部を形成した表紙体を有し、この表紙体の外面は、一定の絵柄やキャラクターなどが印刷されたもの、また表紙部に写真シート体を貼着するもの（特許文献１）等が知られていた。
【先行技術文献】
【特許文献】
【０００３】
【特許文献１】特開２００３−２５１９５７号公報
【考案の概要】
【考案が解決しようとする課題】
【０００４】
従来のアルバム等の表紙体において、所定の絵柄が施されたものでは、表紙デザインを自分好みのオリジナルデザインに変更することができず、また、写真シート体を貼着するものでも、一度写真シート体を貼り付けてしまうとその後に他の表紙デザインに変更することができなかった。
本考案は、以上の事情に鑑みてなされ、表紙デザインを何度でも自由に変更することができる表紙体を提供することを目的とする。
【課題を解決するための手段】
【０００５】
本考案に係る表紙体は、
見開き可能な左右の表紙部を形成した表紙本体部を備える表紙体であって、
上記表紙本体部の外面側に表紙本体部の外面全体を覆う大きさを有するシート状の透明カバーを設け、
上記透明カバーは、表紙体の上端部が開放されて大きく開くことができる上部差込口を形成し、上部差込口を通して透明カバーと表紙本体部との間に上記表紙本体部の左右表紙部にわたって配置される大きさのオリジナル表紙を収納可能とする表紙ポケット部を形成させているものである。
これにより、表紙ポケット部内にオリジナル表紙を差し入れることで表紙デザインを何度でも自由に変更することができる。
【０００６】
上記透明カバーは、上下幅が表紙本体部の上下幅と同じ長さであり、左右幅が表紙本体部の左右幅よりも長い構成とし、
上記表紙ポケット部は、透明カバーの左右端部を表紙本体部の左右端部と一致させて表紙本体部の左右端部と接合し、透明カバーの上端部を表紙本体部の上端部と一致させて表紙本体部の上端部と非接合とし、透明カバーの下端部を表紙本体部の下端部と一致させて透明カバーの下端左右部を表紙本体部の下端左右部と接合するが透明カバーの下端中央部を表紙本体部の左右幅よりも長い長さ分を寄せて表紙本体部の下端中央部とは非接合とすることにより形成されていることが望ましい。
これにより、上部差込口を開きやすく且つ大きく開くことができる。また、左右の表紙部を見開きやすく且つ閉じやすくすることができ、使い勝手がよいものとなる。
【０００７】
上記表紙本体部は、左右の表紙部を折り曲げ可能に左右に形成する背表紙部をさらに有し、
上記背表紙部の内面には写真や用紙等の紙葉類を収納する袋体が設けられ、
上記透明カバーの下端中央部における非接合の部分は、背表紙部の左右幅よりも長く設けられていることが望ましい。
これにより、表紙本体部に背表紙を有するものでも、上部差込口を開きやすく且つ大きく開くことができ、また、左右の表紙部が見開きやすく且つ閉じやすく、使い勝手がよいものとなる。
【０００８】
上記表紙本体部の内面中央部分には用紙を収納する袋体が設けられ、
上記オリジナル表紙は、Ａ列、Ｂ列等の紙の規格寸法（ＪＩＳＰ０１３８）に合致する一定サイズであり、
上記袋体に収納する用紙は、上記一定サイズのオリジナル表紙のハーフサイズであり、
上記表紙本体部は、左右表紙部を閉じた状態のときに上記袋体の先端部が外に露出しない左右幅寸法に設定され、且つ上記表紙ポケット部が当該表紙本体部の中央位置に形成されて表紙体の見開き状態及び閉じた状態でも上記オリジナル表紙が弛みなく収納可能となるように上記透明カバーの左右端部と当該表紙本体部の左右端部とが接合されているものとすることができる。
この場合、表紙体は、Ａ列、Ｂ列等の紙の規格寸法（ＪＩＳＰ０１３８）の用紙を袋体に収納するファイルとして好適に使用することができる。そして、オリジナル表紙は、紙の規格寸法（ＪＩＳＰ０１３８）に合致する一定サイズ（例えば、Ａ３サイズ）のものを使用することで独自の表紙デザインを施したオリジナル表紙をプリンターにより手軽に作成することができ、また袋体にはオリジナル表紙のハーフサイズ（例えば、Ａ４サイズ）の用紙を収納することができ、使い勝手がよい。また、上記表紙本体部は、左右表紙部を閉じた状態のときに上記袋体の先端部が外に露出しないので、表紙体を閉じた状態のときでも見栄えがよい。さらに、上記表紙ポケット部が当該表紙本体部の中央位置に形成されて表紙体の見開き状態及び閉じた状態でも上記オリジナル表紙が弛みなく収納されるので、表紙体を閉じた状態でも表紙ポケット部に収納したオリジナル表紙が左右のどちらかに片寄ることなく配置される。従って、表紙体を閉じた状態でもオリジナル表紙の左右に施した各々の表紙デザインが表紙体の左右の表紙部分に対応して配置され、見栄えのよいものとなる。
【０００９】
上記透明カバーは、左右の外側端部において上記透明カバーとの接合部分を含む左右方向一定幅に印刷部が施されていてもよい。
この場合、表紙ポケット部に収納するオリジナル表紙で覆われない表紙体の左右外側端部が印刷部によって目隠しでき、意匠性を確保することができる。
【００１０】
上記透明カバーの上端部における右隅部及び／又は左隅部が、これと対向する表紙本体部の上端部における左右隅部と接合させるようにしてもよい。
この場合、表紙ポケット部内に収納したオリジナル表紙が上部差込口から脱落することを防止することができる。
【考案の効果】
【００１１】
本考案に係る表紙体によれば、上部差込口を大きく開いて表紙ポケット部内にオリジナル表紙を簡単に差し入れ、また差し替えることができ、表紙デザインを何度でも自由に変更することができる。従って、使用者個人においては表紙体を自分好みの表紙デザインに手軽に着せ替えることができ、また、企業においては表紙体を適宜の表紙デザインに着せ替えて自社の広告媒体等として有効に利用することができる。
【図面の簡単な説明】
【００１２】
【図１】実施形態のポケットアルバムにおいて、表紙体の上部差込口からオリジナル表紙を差し入れる状態を示す斜視図である。
【図２】表紙体を見開いた状態の外面側を示す背面図である。
【図３】表紙体を見開いた状態の内面側を示す正面図である。
【図４】表紙体を見開いた状態の上部差込口側を示す上面図である。
【図５】表紙体を見開いた状態の下端部側を示す下面図である。
【図６】表紙体を閉じた状態の上部差込口側を示す上面図である。
【図７】表紙体を閉じた状態の下端部側を示す下面図である。
【図８】紙の規格寸法のオリジナル表紙を表紙ポケット部に収納可能とし、このオリジナル表紙のハーフサイズの用紙を袋体に収納可能とした表紙体の例（例えばファイル）であって左右端部の接合部を示す平面図である。
【図９】表紙体における左右端部に印刷部を施した例であって表紙体を見開いた状態（図９（ａ））と表紙体を閉じた状態（図９（ｂ））を示す平面図である。
【図１０】実施形態の変形例として、透明カバーの上端部の左右隅部を表紙本体部と溶着した例を示す背面図である。
【考案を実施するための形態】
【００１３】
以下に、本考案の実施形態について添付図面を参照しながら説明する。
本実施形態では、本考案に係る表紙体の適用例としてポケットアルバムを示すが、本考案は、アルバム以外にも書類ファイル、名刺入れ、カード入れ、ハガキ入れ等の各種のファイル、冊子等における表紙体として使用することができ、また、表紙体の内面には書類等を綴じる綴じ具を設けることもできる。なお、本明細書において、左右の表紙部の並び方向を左右方向又は横方向とし、左右の表紙部の並び方向に対して垂直方向を上下方向又は縦方向とする。
【００１４】
図１、図２、図３に示すように、ポケットアルバムＡは、縦方向に延びる細幅の背表紙部１３の左右に一対の折筋１３ａ，１３ｂを境に左右の表紙部１１，１２を一体形成した長方形形状の表紙本体部１０を備える表紙体１と、表紙体１の背表紙部１３の内面に溶着にて接合５１された複数の写真収納用の袋体５とを備えている。袋体５は、高透明の樹脂フィルムからなり、表紙本体部１０よりも小さいサイズの長方形形状に形成され、中央側から横入れ式の二段の写真収納ポケット５０が設けられている。表紙本体部１０は、袋体５よりも厚手の透明樹脂シートからなり、左右の表紙部１１，１２は、折筋１３ａ，１３ｂを介して内面側に折り畳み可能で且つ左右に見開き可能に構成されている。なお、表紙本体部１０は、透明樹脂シートに限らず、不透明の樹脂、紙、革等の素材シートから形成したものでもよい。表紙本体部１０の左右幅寸法は、袋体５の左右幅寸法よりも長く形成されている（図３参照）。これにより、この表紙体１において左右の表紙部１１，１２を閉じた状態にしたとき、袋体５の先端部が外に露出することなく表紙部１１，１２に隠れて見栄えを損なうこともない。なお、袋体５が書類等を入れるファイルとする場合等でも表紙本体部１０の左右幅寸法を袋体５の左右幅寸法よりも長く形成するのが好ましい。また、表紙本体部１０の外面側には、この表紙本体部１０の外面全体を覆う大きさを有するシート状の透明カバー２が設けられている。
【００１５】
透明カバー２は、表紙体１の上端部全体が開放されて大きく開くことができる上部差込口３を形成し、この上部差込口３を通して透明カバー２と表紙本体部１０との間に表紙体１と同じか長辺側が少し短い大きさのオリジナル表紙４を配置可能とする表紙ポケット部３０を形成している。透明カバー２の大きさは、透明カバー２の上下幅が表紙本体部１０の上下幅と略同じ長さに設定されているが、透明カバー２の左右幅が表紙本体部１０の左右幅よりも長い構成としている。
【００１６】
そして、表紙ポケット部３０は、透明カバー２における左右端部及び下端部の一部を表紙本体部１０に接合し、上端部を全長にわたって開放することにより形成されている。すなわち、透明カバー２の左右端部は表紙本体部１０の左右端部と一致させて表紙本体部１０の左右端部と全長にわたって溶着にて接合３１，３２し、透明カバー２の上端部は表紙本体部１０の上端部と一致させて表紙本体部１０の上端部とは全長にわたって非接合３３とし、透明カバー２の下端部は表紙本体部１０の下端部と一致させて透明カバー２の下端左右部を表紙本体部１０の下端左右部と溶着にて接合３４，３５するが、透明カバー２の下端中央部を表紙本体部１０の左右幅よりも長い長さ分を寄せて表紙本体部１０の下端中央部とは非接合３６とし、このようにして表紙ポケット部３０が形成されている。透明カバー２の下端中央部における非接合３６の部分は、背表紙部１３の左右幅よりも長く設けられている。
【００１７】
以上の構成の表紙体１を備えるポケットアルバムＡによれば、図１、図４に示すように、透明カバー２は、表紙体１の上部側においてパクッと大きく開くことができる上部差込口３を形成するので、この上部差込口３を通して表紙体１と略同じ大きさのオリジナル表紙４を、表紙体１の外面全体を覆う表紙ポケット部３０内に対して簡単に差し入れ、差し替えることができる。従って、表紙体１の外面に全面的に任意のオリジナル表紙４を簡単に配置させ、透明カバー２を透かして表紙体１の外側の表紙デザイン、つまりポケットアルバムＡの表紙のデザインを手軽に着せ替えることができる。
【００１８】
オリジナル表紙４として、独自の写真データ、イラストデータ、企業ロゴや企業イメージ等の各種のデザインデータをプリンターにて所望の用紙にプリントしたものとすることができる。また、オリジナル表紙４は、Ａ列、Ｂ列等の紙の規格寸法（ＪＩＳＰ０１３８）に合致する一定サイズとすることが好ましく、この場合、プリンターにより手軽にオリジナル表紙４を作成することができる。例えば、表紙ポケット部３０をＡ４サイズの用紙を収納可能な大きさとすれば、デザインデータをＡ４サイズの用紙にプリントして、これをオリジナル表紙４とすることができる。従って、使用者個人においてはポケットアルバムＡの表紙体１を自分好みの表紙デザインに手軽に着せ替えることができ、また、企業においてはポケットアルバムＡの表紙体１を、例えば企業イメージ等を現わす表紙デザインに適宜に着せ替えてノベルティ商品等に採用して自社の広告媒体等として有効利用することができる。
【００１９】
そして、表紙体１において、透明カバー２の左右幅が表紙本体部１０の左右幅よりも長い構成であるから、左右の表紙部１１，１２を見開いた状態では、図４に示すように、表紙ポケット部３０の上部差込口３を開きやすく、且つ大きく開くことができる。従って、オリジナル表紙４を表紙ポケット部３０内に簡単に差し入れ、差し替えることができる。
【００２０】
また、透明カバー２の上端部は開放され、透明カバー２の下端中央部を表紙本体部１０の左右幅よりも長い長さ分を寄せて表紙本体部１０の下端中央部とは非接合３６とするので、図５にも示すように、表紙体１の中央部には透明カバー２における非接合３６の余剰部分２１が存在することとなる。従って、左右の表紙部１１，１２を閉じる場合には、外側の透明カバー２によって左右表紙部１１，１２が見開き側へ引っ張られることなくスムーズに左右表紙部１１，１２を閉じることができ、且つ左右表紙部１１，１２を閉じた状態に保持することができ、使い勝手もよい。また、図６、図７に示すように、左右の表紙部１１，１２を閉じた状態では、透明カバー２は、上端部及び下端部が表紙本体部１０の外周に沿って若干の隙間を存して配置される。従って、左右の表紙部１１，１２を閉じた状態のポケットアルバムＡを書棚に収納したり多数個をまとめて箱詰めしたりする等の場合にも透明カバー２が他部材に引っ掛かったりすることがなく、しかも見栄えを損なうこともない。
【００２１】
（その他）
本考案に係る表紙体の例として、表紙本体部１０の内面中央部分には用紙を収納する袋体５が設けられ、オリジナル表紙４は、Ａ列、Ｂ列等の紙の規格寸法（ＪＩＳＰ０１３８）に合致する一定サイズであり、袋体５に収納する用紙は、上記一定サイズのオリジナル表紙４のハーフサイズであり、表紙本体部１０は、左右表紙部１１，１２を閉じた状態のときに袋体５の左右方向の先端部が外に露出しない左右幅寸法に設定され、且つ表紙ポケット部３０が当該表紙本体部１０の中央位置に形成されて表紙体１の見開き状態及び閉じた状態でもオリジナル表紙４が弛みなく収納可能となるように透明カバー２の左右端部と当該表紙本体部１０の左右端部とが左右方向一定幅の溶着により接合３１ａ，３２ａされているものとすることができる（図８参照）。なお、この溶着の接合部３１ａ，３２ａは、その一つひとつの形状が横長線形状に限らず、例えば、星形、ハート形、円形等の各種のデザイン形状としてもよいし、また、この接合部３１ａ，３２ａは、表紙体１の左右端部において上下方向に長細い袋部を形成するように端部と中央寄り部分とに二列に形成する等でもよい。
【００２２】
この例の表紙体１によれば、Ａ列、Ｂ列等の紙の規格寸法（ＪＩＳＰ０１３８）の用紙を袋体５に収納するファイルとして好適に使用することができる。そして、オリジナル表紙４は、紙の規格寸法（ＪＩＳＰ０１３８）に合致する一定サイズ（例えば、Ａ３サイズ）のものを使用することで独自の表紙デザインを施したオリジナル表紙４をプリンターにより手軽に作成することができ、また袋体５にはオリジナル表紙４のハーフサイズ（例えば、Ａ４サイズ）の用紙を収納することができ、使い勝手がよい。また、表紙本体部１０は、左右表紙部１１，１２を閉じた状態のときに袋体５の左右方向の先端部が外に露出しないので、表紙体１を閉じた状態のときでも見栄えがよい。さらに、表紙ポケット部３０が当該表紙本体部１０の中央位置に形成されて表紙体１の見開き状態及び閉じた状態でもオリジナル表紙４が弛みなく収納されるので、表紙体１を閉じた状態でも表紙ポケット部３０に収納したオリジナル表紙４が左右のどちらかに片寄ることなく配置される。従って、表紙体１を閉じた状態でもオリジナル表紙４の左右に施した各々の表紙デザインが表紙体１の左右の表紙部分に対応して配置され、見栄えのよいものとなる。
【００２３】
また、本考案に係る他の表紙体として、図９に示すように透明カバー２は、左右の外側端部において透明カバー２との接合部分３１ａ，３２ａを含む左右方向一定幅で外側端部の全長にわたって白色、青色等の所定色の印刷部７が施されていてもよい。この場合、表紙ポケット部３０に収納するオリジナル表紙４で覆われない表紙体１の左右外側端部及び接合部３１ａ，３２ａが印刷部７によって目隠しでき、意匠性を確保することができる。
【００２４】
なお、本考案は、以上の実施形態のみに限定されず、本考案の要旨の範囲内で適宜に変更を施すことが可能である。
例えば、図１０に示すように、透明カバー２の上端部における右隅部及び／又は左隅部を表紙本体部１０の上端部における左右隅部と溶着等にて接合３７するようにしてもよい。この場合、接合部分３７によって表紙ポケット部３０内に収納したオリジナル表紙４が上部差込口３から脱落することを防止することができ、また、接合部分３７の形成は左右隅部の僅かな範囲であるから上部差込口３を通して表紙ポケット部３０内へのオリジナル表紙４の差し込みや取り出しに支障を来すこともない。
また、表紙体１の内面に袋体５を設けるか否かは任意であるが、表紙体１の左右表紙部１１，１２の内面には、ＣＤやＤＶＤ等の記録媒体保持用としてＣＤ等の中心孔に嵌合して保持する保持部を設けたり、各種の薄物等を保持するポケットを設けたりすることができる。
また、透明カバー２と表紙本体部１０との接合３１，３２，３４，３５，３７は、溶着に限らず接着剤で接着することでもよい。
【符号の説明】
【００２５】
１  表紙体
２  透明カバー
３  上部差込口
４  オリジナル表紙
５  袋体
７  印刷部
１０  表紙本体部
１１  左表紙部
１２  右表紙部
１３  背表紙部
１３ａ，１３ｂ  折筋
２１  余剰部分
３０  表紙ポケット部
３１，３２，３４，３５，３７，５１  接合
３３，３６  非接合
５０  写真収納ポケット
Ａ  ポケットアルバム
【図２】
0003197362.tif 000003
【図３】
0003197362.tif 000004
【図４】
0003197362.tif 000005
【図５】
0003197362.tif 000006
【図６】
0003197362.tif 000007
【図７】
0003197362.tif 000008
【図８】
0003197362.tif 000009
【図９】
0003197362.tif 000010
【図１０】
0003197362.tif 000011
【図１】
0003197362.tif 000012
【手続補正書】
【提出日】平成27年3月10日(2015.3.10)
【手続補正１】
【補正対象書類名】実用新案登録請求の範囲
【補正対象項目名】請求項４
【補正方法】変更
【補正の内容】
【請求項４】
請求項１又は２に記載の表紙体において、
上記表紙本体部の内面中央部分には用紙を収納する袋体が設けられ、
上記オリジナル表紙は、Ａ列、Ｂ列等の紙の規格寸法（ＪＩＳＰ０１３８）に合致する一定サイズであり、
上記袋体に収納する用紙は、上記一定サイズのオリジナル表紙のハーフサイズであり、
上記表紙本体部は、左右表紙部を閉じた状態のときに上記袋体の先端部が外に露出しない左右幅寸法に設定され、且つ上記表紙ポケット部が当該表紙本体部の中央位置に形成されて表紙体の見開き状態及び閉じた状態でも上記オリジナル表紙が弛みなく収納可能となるように上記透明カバーの左右端部と当該表紙本体部の左右端部とが接合されている表紙体。